(57)【要約】【課題】室外機の底板に溜まったドレン水などの液体をより適切に排出することのできる構造を提供する。【解決手段】空気調和機の室外機１は、筐体１０と、筐体１０内に配置された送風機１２と、筐体１０の底部に配置された底板２０とを備えている。底板２０は、室外機１の前方から後方に向けて、下方に傾斜する第１傾斜部２２と、第１傾斜部２２から後方へ向けて、第１傾斜部２２よりも大きな角度で下方に傾斜する第２傾斜部２３と、第２傾斜部２３の後方に位置する後方底面部２４とを有する。この室外機１において、送風機１２は、第２傾斜部２３よりも前方側に位置している。【選択図】図５
2019086186.tif 000002
【特許請求の範囲】
【請求項１】
空気調和機の室外機であって、
筐体と、
前記筐体内に配置された送風機と、
前記筐体の底部に配置された底板と
を備え、
前記底板は、
前記室外機の前方から後方に向けて、下方に傾斜する第１傾斜部と、
前記第１傾斜部から後方へ向けて、前記第１傾斜部よりも大きな角度で下方に傾斜する第２傾斜部と、
前記第２傾斜部の後方に位置する底面部と
を有し、
前記送風機は、前記第２傾斜部よりも前方側に位置している、
室外機。
【請求項２】
前記底板には、少なくとも一つの開口部が設けられており、
前記開口部は、前記第２傾斜部と前記底面部とにまたがって形成されている、
請求項１に記載の室外機。
【請求項３】
前記送風機の後方側には、熱交換器が配置されており、
前記底板上において前記送風機が配置されている領域を、前記底板の前方領域とし、
前記底板上において前記熱交換器が配置されている領域を、前記底板の後方領域とすると、
前記開口部の少なくとも一つは、前記前方領域から前記後方領域へと至る領域内に存在する、
請求項２に記載の室外機。
【請求項４】
前記開口部上に、前記筐体内を加熱する加熱部が配置されている、請求項２または３に記載の室外機。
【請求項５】
前記加熱部は、前記第１傾斜部よりも下方に位置している、請求項４に記載の室外機。
【請求項６】
前記送風機の後方側には、熱交換器が配置されており、
前記加熱部の少なくとも一部は、前記熱交換器よりも前方側に位置する、
請求項４または５に記載の室外機。
【請求項７】
前記加熱部は、前記第１傾斜部と前記第２傾斜部との境界よりも後方側に位置する、請求項４から６の何れか１項に記載の室外機。
【発明の詳細な説明】
【技術分野】
【０００１】
本発明は、空気調和機、ヒートポンプ式給湯機などの室外機に関する。
【背景技術】
【０００２】
空気調和機の室外機は、筐体内に、熱交換器、送風機などを収納し、熱交換器に外気を供給して、冷凍サイクル内の冷媒との熱交換を行っている。暖房運転時、室外機に設けられた熱交換器は、冷媒の蒸発器として機能する。そのため、屋外の空気中に含まれる水分が熱交換器の表面に結露して、ドレン水が生じることがある。
【０００３】
また、冬季の外気温が氷点下となる寒冷地に設置されている室外機では、ドレン水が凍結してしまうことがある。そこで、寒冷地に設置される室外機には、底板の上にヒートパイプが配置されている。これにより、底板に溜まったドレン水の凍結を防止している。
【０００４】
例えば、特許文献１には、底板２ｂにホットガスバイパス経路Ｈを備えている室外機が開示されている。ホットガスバイパス回路Ｈ２は、室外ファン２６の下方および室外熱交換器２３の下方を通過するように配置されている。ホットガスバイパス回路Ｈ２は、室内熱交換器４１から室外電動膨張弁２４にいたるまで延びている室内側液管Ｃもしくは室外電動膨張弁２４から室外熱交換器２３にいたるまで延びている室外側液管Ｄの少なくともいずれか一方と、圧縮機２１の吐出側の吐出管Ａと、をバイパスしている。
【０００５】
特許文献１に開示されている室外機は、上記のようなホットガスバイパス回路Ｈ２を備えていることにより、ヒータ等の別熱源を利用することなく、バイパス回路が通過する部分近傍を暖めることができる。これにより、送風機の鉛直下方および熱交換器の鉛直下方において、底板に氷が成長することを抑制することができる。すなわち、バイパス回路がヒートパイプとして機能する。
【先行技術文献】
【特許文献】
【０００６】
【特許文献１】特開２０１０−２６１７１２号公報
【発明の概要】
【発明が解決しようとする課題】
【０００７】
しかしながら、特許文献１では、室外機の底板に溜まったドレン水を機外に排出する構造についての検討はされていない。また、冷媒が通るバイパス回路を用いて底板に溜まったドレン水の凍結を抑える構成では、熱量が不十分な場合があり、バイパス回路から離れた位置の氷を十分に融かすことができない場合がある。
【０００８】
また、空気調和機の運転停止時や除霜運転時に底板にドレン水が溜まっていると、そのドレン水が凍結し、そこから氷が成長してしまう可能性がある。特に、送風機の鉛直下方において氷が成長し始めると、送風機に氷が接触し、送風機の動作不良が起こる可能性もある。
【０００９】
そこで、本発明では、室外機の底板に溜まったドレン水などの液体をより適切に排出することのできる構造を提供することを目的とする。
【課題を解決するための手段】
【００１０】
本発明の一局面にかかる室外機は、筐体と、前記筐体内に配置された送風機と、前記筐体の底部に配置された底板とを備えている。この室外機において、前記底板は、前記室外機の前方から後方に向けて、下方に傾斜する第１傾斜部と、前記第１傾斜部から後方へ向けて、前記第１傾斜部よりも大きな角度で下方に傾斜する第２傾斜部と、前記第２傾斜部の後方に位置する底面部とを有している。そして、前記送風機は、前記第２傾斜部よりも前方側に位置している。
【発明の効果】
【００１１】
本発明の一局面にかかる室外機によれば、室外機の底板に溜まったドレン水や雨水などの液体をより適切に排出する構造を提供できる。
【図面の簡単な説明】
【００１２】
【図１】第１の実施の形態にかかる空気調和機の室外機の外観を示す斜視図である。
【図２】第１の実施の形態にかかる空気調和機の室外機の外観を示す側面図である。
【図３】図１に示す室外機の内部構成を示す斜視図である。
【図４】図１に示す室外機の内部構成を示す上面図である。
【図５】図４示す室外機のＡ−Ａ線部分の断面図である。
【図６】図１に示す室外機の底板の構成を示す上面図である。
【図７】図６示す底板のＢ−Ｂ線部分の断面図である。
【図８】図６示す底板のＣ−Ｃ線部分の断面図である。
【図９】第２の実施の形態にかかる空気調和機の室外機に備えられた底板およびヒートパイプを示す斜視図である。
【図１０】第２の実施の形態にかかる空気調和機の室外機に備えられた底板およびヒートパイプを示す上面図である。
【発明を実施するための形態】
【００１３】
以下、図面を参照しつつ、本発明の実施の形態について説明する。以下の説明では、同一の構成部材には同一の符号を付してある。それらの名称および機能も同じである。したがって、それらについての詳細な説明は繰り返さない。
【００１４】
〔第１の実施形態〕
＜空気調和機の全体構成＞
先ず、本実施の形態にかかる空気調和機の全体構成について説明する。本実施の形態にかかる空気調和機は、セパレート式の空気調和機であって、主として、室内機（図示せず）と室外機１（図１参照）とから構成されている。なお、本実施形態にかかる空気調和機は、暖房運転および冷房運転の両方を行うことができるが、本発明の別の態様にかかる空気調和機は、暖房運転のみを行うものであってもよい。
【００１５】
室内機は、略直方体状の形状を有しており、通常、部屋の壁の上部に掛けられて使用される。室内機内には室内側熱交換器（図示せず）が備えられている。室外機１には、圧縮機（図示せず）、室外側熱交換器（熱交換器）１３（図３参照）、四方弁（図示せず）、膨張弁（図示せず）などが備えられている。これらと室内機側に備えられた室内側熱交換器とによって冷凍サイクルが構成される。
【００１６】
冷凍サイクルにおいて、圧縮機は、冷媒（熱媒体）を圧縮する。膨張弁は、冷媒（熱媒体）を減圧する。室外側熱交換器１３は、暖房運転時には蒸発器として機能するとともに、冷房運転時には凝縮器として機能する。室内側熱交換器は、暖房運転時には凝縮器として機能し、冷房運転時には蒸発器として機能する。
【００１７】
＜室外機の構成＞
続いて、室外機１の具体的な構成について、図１から図４を参照しながら説明する。図１には、室外機１の外観構成を示す。図２は、室外機１の右側面を示す。図３および図４には、室外機１の内部の構成を示す。図３は、図１に示す室外機１から前面パネル１０ａ、上面パネル１０ｂ、および圧縮機を取り外した状態を示す。図４は、室外機１を上方から見た状態を示す。図４は、図３に示す室外機１から電装ボックス１５を取り外した状態を示す。
【００１８】
図１に示すように、室外機１は、略直方体状の形状を有しており、通常、屋外の平坦面上に設置される。室外機１の外形は、主として、筐体１０によって形成される。筐体１０は、主として、前面パネル１０ａ、上面パネル１０ｂ、２つの側面パネル（すなわち、左側面パネル１０ｃおよび右側面パネル１０ｄ）、および底板２０で構成されている。なお、筐体１０の背面部１０ｅは、側面パネル１０ｃ・１０ｄの一部と、室外側熱交換器１３の一部とで構成される。
【００１９】
前面パネル１０ａには、送風機１２からの風の吹き出し口に吹出グリル１１が取り付けられている。吹出グリル１１は、正面視において送風機１２（図３参照）の配置位置と重なるように配置されている。また、筐体１０の底面部を構成する底板２０の下面には、室外機１を支持する脚部１９が２つ配置されている。
【００２０】
本明細書では、説明の便宜上、前面パネル１０ａが配置されている側を室外機１の前面側または前方側とし、室外側熱交換器１３が配置されている側を室外機１の背面側または後方側とする。そして、室外機１の前面側（前方側）から背面側（後方側）、または背面側から前面側へ向かう方向のことを、前後方向という。また、室外機１の通常の設置状態において、上方から下方または下方から上方へ向かう方向のことを、上下方向または鉛直方向という。
【００２１】
また、室外機１の右側とは、室外機１を正面（前面側）から見たときの右側を意味し、室外機１の左側とは、室外機１を正面から見たときの左側を意味する。そして、室外機１の上下方向と交差または直交し、室外機１の右側から左側、あるいは、室外機１の左側から右側へ向かう方向のことを、左右方向または水平方向という。
【００２２】
筐体１０の内部には、圧縮機（図示せず）、室外側熱交換器１３、送風機１２、電装ボックス１５、分離板（遮蔽板）１６、支持板１７、およびヒートパイプ（加熱部）１８などが収納されている。
【００２３】
圧縮機は、機械室３２内に配置されている。室外側熱交換器１３は、筐体１０内の背面部１０ｅおよび左側面パネル１０ｃに沿って配置されている。室外側熱交換器１３の内部では、伝熱管（冷媒配管）１４が複数回折り返されながら蛇行して延びている。伝熱管（冷媒配管）１４には、多数の放熱フィン（図示せず）が取り付けられている。
【００２４】
送風機（プロペラファン）１２は、室外側熱交換器１３の前面側の空間３１内に配置されている。送風機１２の回転によって、背面部１０ｅ側や側面１０Ｃ側から室外側熱交換器１３を通過し、前面パネル１０ａの吹出グリル１１から外部へ送出される空気の流れ（すなわち、風）が形成される。背面部１０ｅから筐体１０内へ流入した外気は、室外側熱交換器１３のフィン間を通過する。このとき、室外側熱交換器１３の伝熱管１４内を流れる冷媒と外気とが熱交換される。そして、熱交換された外気は、吹出グリル１１から筐体１０の外に排出される。
【００２５】
電装ボックス１５は、電装基板を備えている。電装基板には、室外機１内の各部材の動作を制御するための制御部などが搭載されている。分離板（遮蔽板）１６は、筐体１０内の空間を、送風機１２が配置される空間３１と、機械室３２とに区画する。支持板１７は、送風機１２の背面から上方に延びている。支持板１７は、送風機１２の駆動モータを備えている。駆動モータは、送風機１２の回転軸１２ａと接続されている（図５参照）。
【００２６】
ヒートパイプ１８は、底板２０の上面上に配置されている。本実施形態では、ヒートパイプ１８は、室外側熱交換器１３の配置位置に沿うように延びている（図４参照）。すなわち、ヒートパイプ１８は、室外側熱交換器１３のほぼ下方に配置されている。
【００２７】
ヒートパイプ１８は、冷凍サイクルを構成する冷媒配管の一部で、室内側熱交換機と膨張弁との間に接続される。暖房運転時、冷媒は高温の状態で圧縮機から室内側熱交換機に向けて流れ、室内側熱交換機で放熱した後、ヒートパイプ１８に送られる。室内側熱交換機で放熱した後であっても、ヒートパイプ１８には、０℃より高い温度の冷媒が流れ込む。これにより、暖房運転時にはヒートパイプ１８の周囲が暖められる。そのため、室外側熱交換器１３から底板２０へ落ちるドレン水の凍結を抑えることができる。
【００２８】
冷房運転ならびに除霜運転時に冷媒は高温の状態で圧縮機から室外側熱交換器１３に向けて流れ、膨張弁を経て減圧膨張されてヒートパイプに送られる。これにより冷房運転時ならびに除霜運転時にはヒートパイプの周辺が冷やされる。また外気温が低い場合にはヒートパイプの周辺温度は氷点下にまで低下する。
【００２９】
なお、本発明の別の態様では、ヒートパイプは必ずしも設けられていなくてもよい。また、冷媒が通るヒートパイプ１８はホットガスバイパス回路でもよい。あるいは、電熱線などのヒータ（加熱部）を底板２０上に配置してもよい。
【００３０】
＜底板の構成＞
続いて、筐体１０の底部を構成する底板２０の具体的な構成について、図４から図８を参照しながら説明する。図５には、図４に示す室外機１のＡ−Ａ線部分の断面構成を示す。図６には、底板２０の上面の構成を示す。図７および図８には、底板２０の断面形状を示す。図７は、図６に示す底板２０のＢ−Ｂ線部分の断面形状を示している。図８は、図６に示す底板２０のＣ−Ｃ線部分の断面形状を示している。
【００３１】
底板２０は、概略的にトレイ型の形状を有しており、外縁部に側壁が設けられている。図５に示すように、底板２０は、前方側から、前方底面部２１、第１傾斜部２２、第２傾斜部２３、後方底面部（底面部）２４、および後方傾斜部２５を有している。言い換えると、図６に示すＢ−Ｂ線の位置において、底板２０の上面は、前方底面部２１、第１傾斜部２２、第２傾斜部２３、後方底面部（底面部）２４、および後方傾斜部２５に区分けされる。
【００３２】
前方底面部２１は、底板２０の最前方側に位置する。本実施形態では、前方底面部２１は、傾斜のない略水平な平面となっている。但し、本発明の別の態様では、前方底面部２１にも第１傾斜部２２と同程度の傾斜が設けられていてもよい。あるいは、本発明の別の態様では、底板２０に前方底面部２１が設けられておらず、最前方側に第１傾斜部２２が設けられていてもよい。
【００３３】
なお、本明細書において、「水平である」とは、室外機１を通常の使用時の状態に設置したときに、水平となることを意味する。また、本明細書において、「傾斜している」とは、室外機１を通常の使用時の状態に設置したときに、傾斜していることを意味する。つまり、本明細書において「水平な平面」とは、室外機１を通常の使用時の状態に設置したときに、上述した前後方向、および左右方向（または水平方向）に平行となる平面ということもできる。そして、「傾斜している」とは、上記に「水平な面」に対して傾斜していることを意味する。
【００３４】
前方底面部２１は、送風機１２の設置領域Ｒと対応する領域に設けられている（図４参照）。つまり、前方底面部２１の左右方向の幅は、送風機１２の設置領域Ｒの左右方向の幅とほぼ一致する。なお、前方底面部２１の左右方向の幅は、設置領域Ｒの左右方向の幅より大きくてもよい。
【００３５】
第１傾斜部２２は、前方底面部２１と第２傾斜部２３との間に位置する。第１傾斜部２２は、室外機１の前方から後方に向けて、下方に傾斜している。前方底面部２１と同様に、第１傾斜部２２は、送風機１２の設置領域Ｒと対応する領域に設けられている（図４参照）。つまり、第１傾斜部２２の左右方向の幅は、送風機１２の設置領域Ｒの左右方向の幅とほぼ一致する。なお、第１傾斜部２２の左右方向の幅は、設置領域Ｒの左右方向の幅より大きくてもよい。但し、第１傾斜部の後方側（すなわち、第２傾斜部２３との接続部２２ａ）において、第１傾斜部２２の左右方向の幅は、送風機１２の設置領域Ｒの左右方向の幅よりも小さくなっている（図６参照）。第１傾斜部２２は、水平面に対して角度θ１の傾斜角を有している（図７参照）。
【００３６】
第２傾斜部２３は、第１傾斜部２２と後方底面部（底面部）２４との間に位置する。第２傾斜部２３は、第１傾斜部２２から後方へ向けて、第１傾斜部２２よりも大きな角度で傾斜している。つまり、第２傾斜部２３は、水平面に対して角度θ２の傾斜角を有している（図７参照）。そして、θ１＜θ２となっている。
【００３７】
後方底面部２４は、第２傾斜部２３と後方傾斜部２５との間に位置する。図７に示すように、後方底面部２４は、底板２０の最も下方に位置している。本実施形態では、後方底面部２４は、傾斜のない略水平な平面となっている。但し、本発明の別の態様では、後方底面部２４に、前方に向けて（排出口２８が形成されている第２傾斜部２３側へ向けて）下方の傾斜が設けられていてもよい。つまり、後方底面部２４は、排出口へ向かって下方に傾斜していてもよい。
【００３８】
後方傾斜部２５は、底板２０の最後方側に位置する。後方傾斜部２５は、後方へ向かって上方に傾斜しており、底板２０の外縁部に形成された側壁へとつながる。
【００３９】
図６に示すように、第２傾斜部２３と後方底面部２４との境界には、排出口（開口部）２８が設けられている。排出口２８からは、室外側熱交換器１３の表面の結露などに起因したドレン水などが排出される。排出口２８は、第２傾斜部２３と後方底面部２４とにまたがって形成されている。これにより、底板２０に溜まった雨水やドレン水などの液体が、第２傾斜部２３と後方底面部２４との境界線部分に溜まることを抑えることができる。また、排出口２８の一部が、底板２０の最も下方に位置する後方底面部２４に存在することで、底板２０に溜まった雨水やドレン水などの液体を、排出口２８の方へ誘導することができる。
【００４０】
なお、本実施形態では、第２傾斜部２３と後方底面部２４とにまたがって形成される排出口２８は、後方底面部２４側にずれて配置されている。すなわち、排出口２８の中央部は、底板２０の最も下方に位置する後方底面部２４側に位置している。これにより、底板２０に溜まった雨水やドレン水などの液体を、排出口２８の方へより効率よく誘導することができる。
【００４１】
また、排出口２８の前方側には、第２傾斜部２３との接続部２２ａが位置する。この接続部２２ａは、第１傾斜部２２に溜まった雨水などの液体を排出口２８へと誘導する流路となっている。接続部２２ａの左右方向の幅は、第１傾斜部２２の前方側の左右方向の幅よりも狭くなっている。このような流路が形成されていることにより、第１傾斜部２２上の液体をより効率よく排出口２８へ導くことができる。
【００４２】
本実施形態の室外機１では、送風機１２は、第２傾斜部２３よりも前方側に配置されている。図５に示すように、送風機１２は、主として、第１傾斜部２２上に配置されている。
【００４３】
また、本実施形態の室外機１では、室外側熱交換器１３は、第２傾斜部２３よりも後方側に配置されている。図５に示すように、室外側熱交換器１３は、主として、後方底面部２４の後方側の上方に配置されている。
【００４４】
ここで、室外機１の送風機１２の設置領域Ｒ内において、送風機１２が配置されている領域を、底板２０の前方領域ＦＲとし、室外側熱交換器１３が配置されている領域を、底板２０の後方領域ＢＲとする。本実施形態では、前方領域ＦＲと後方領域ＢＲとの境界は、底板２０における第１傾斜部２２と第２傾斜部２３との境界と一致する。そして、第１傾斜部２２における第２傾斜部２３との接続部２２ａは、送風機１２の設置領域Ｒ内における前方領域ＦＲ側に位置する。また、排出口２８は、送風機１２の設置領域Ｒ内における後方領域ＢＲ側に位置する。
【００４５】
なお、図４に示す例では、第２傾斜部２３との接続部２２ａ、および排出口２８は、送風機１２の設置領域Ｒの右寄りに配置されている。しかし、送風機１２の設置領域Ｒ内における接続部２２ａおよび排出口２８の配置位置は、これに限定されない。
【００４６】
図８には、排出口２８の配置領域の左右方向の底板２０の断面形状を示す。上述したように、排出口２８の一部は、後方底面部２４に形成されている。そして、後方底面部２４の左右両側には、後方底面部２４へ向かって下方に傾斜する右側傾斜部２６ａおよび左側傾斜部２６ｂが設けられている。この構成により、底板２０の後方の左右両側に溜まったドレン水などの液体を、排出口２８へ誘導することができる。
【００４７】
続いて、底板２０上のヒートパイプ１８の配置について、図４および図５を参照しながら説明する。
【００４８】
図４に示すように、ヒートパイプ１８は、室外側熱交換器１３の配置領域に沿うように配置されている。これにより、室外側熱交換器１３で結露した水が凍結することを抑えることができる。
【００４９】
また、送風機１２の設置領域Ｒ内では、ヒートパイプ１８は、室外機１の後方側（具体的には、第２傾斜部２３よりも後方側）に配置されている。本実施形態では、ヒートパイプ１８は、第１傾斜部２２よりも下方に位置するように配置されている（図５参照）。言い換えると、ヒートパイプ１８は、第２傾斜部２３、後方底面部２４、および後方傾斜部２５で形成される底板２０の凹み部内に収容されている。
【００５０】
これにより、ヒートパイプ１８の熱によって解凍された水が、第１傾斜部２２側へ乗り上がりにくい構成とすることができる。そのため、空気調和機の除霜運転中にヒートパイプ１８内を通る冷媒の温度が低下し、ヒートパイプ１８の周囲に霜などの凍結物が発生したとしても、第１傾斜部２２側へ、室外側熱交換器１３から落下する除霜水が流入することを抑えることができる。
【００５１】
図４に示すように、本実施形態では、ヒートパイプ１８は、その一部が排出口２８上を通るように配置されている。この構成によれば、排出口２８上がヒートパイプ１８の熱によって暖められることで、排出口２８周辺でのドレン水の凍結を抑えることができるため、排出口２８が凍結物によって塞がれることを抑えることができる。
【００５２】
なお、排出口２８の上方に位置するヒートパイプ１８は、排出口２８の中央（略円形の排出口２８の中心）よりずれた位置に配置されていることが好ましい（図４参照）。つまり、ヒートパイプ１８は、排出口２８の何れかの周縁部に偏った位置に配置されていることが好ましい。これにより、ヒートパイプ１８から、排出口２８の周縁部に対してより多くの熱が加えられる。そのため、排出口２８の周縁部から流れ落ちるドレン水が凍結して、周縁部につららが形成されることを抑えることができる。
【００５３】
なお、後方底面部２４上では、ヒートパイプ１８は、略平行に２列に並んで配置されている。そのうちの１本は、後方底面部２４の前方側に沿って延び、排出口２８上を通っている。もう１本は、後方底面部２４の後方側に沿って延びている。より具体的には、２列に並んだヒートパイプ１８のうちの前方側の列は、第２傾斜部２３と後方底面部２４との境界の近傍に位置している。
【００５４】
このように、本実施形態の室外機１では、送風機１２の下方に位置する第１傾斜部２２上には、ヒートパイプ１８は設けられていない。この構成によれば、例えば、除霜運転中などに、万一ヒートパイプ１８が凍結した場合であっても、暖房運転中に溶解したドレン水が第１傾斜部２２に流れ込むことがない。そのため、送風機１２の下方において凍結物が成長して送風機１２の運転を妨害することを抑えることができる。
【００５５】
また、図５に示すように、２列に並んで配置されたヒートパイプ１８のうち、前方側に位置するヒートパイプ１８は、室外側熱交換器１３よりも前方側に位置する。このように、底板２０上の各所に延伸しているヒートパイプ１８のうちの少なくとも一部は、室外側熱交換器１３の下方ではない位置に配置することが好ましい。この構成によれば、空気調和機の除霜運転中にヒートパイプ１８が凍結したとしても、暖房運転中に、ドレン水が第１傾斜部２２に流れ込むことがない。そのため、送風機１２の下方において凍結物が成長して送風機１２の運転を妨害することを抑えることができる。
【００５６】
＜第１の実施形態のまとめ＞
以上のように、本実施形態にかかる室外機１は、筐体１０と、筐体１０内に配置された送風機１２と、筐体１０の底部に配置された底板２０とを備えている。底板２０は、室外機１の前方から後方に向けて、下方に傾斜する第１傾斜部２２と、第１傾斜部２２から後方へ向けて、第１傾斜部２２よりも大きな角度で下方に傾斜する第２傾斜部２３と、第２傾斜部２３の後方に位置する後方底面部２４とを有する。送風機１２は、第２傾斜部２３よりも前方側に位置している。ここで、室外機１の前方側とは、送風機１２からの風が吹き出される側（すなわち、前面パネル１０ａに近い側）のことを意味する。
【００５７】
従来の室外機の中には、前面側から排水口へ向かって傾斜面が設けられているものも存在するが、傾斜面と水平面との境界線部分に水が残留してしまうことがある。寒冷地など外気温が低い地域では、その残留水が凍結して徐々に前面側へ氷が成長してしまうことがある。いったん氷が室外機の前面側に成長してしまうと、暖房運転によってヒートパイプの温度が上昇しても、氷に十分な熱が伝わらない。そして、外気温が氷点下の状態が続くと、ますます前面側に氷が成長してしまい、最悪の場合は送風機に氷が接触して送風機の運転が停止したり、送風機が破損したりするおそれがある。
【００５８】
本実施形態にかかる室外機１の底板２０には、上述したように、後方底面部２４と第１傾斜部２２との間に、第１傾斜部２２よりも大きな角度で傾斜する第２傾斜部２３が設けられている。これにより、底板２０の前方側に溜まった雨水やドレン水などの液体を後方底面部２４の方へ効率よく流すことができる。
【００５９】
したがって、上記の構成によれば、底板２０の前方側に溜まった雨水やドレン水などの液体を、送風機１２の後方側の後方底面部２４に存在する排水領域（例えば、後方底面部２４に設けられた排出口２８）へよりスムーズに誘導することができる。また、後方底面部２４へ向かって２つの傾斜部（すなわち、第１傾斜部２２および第２傾斜部２３）が設けられ、第２傾斜部２３と後方底面部２４との境界線部に排出口２８が形成されていることで、第２傾斜部２３と後方底面部２４との境界線部に液体が溜まることを抑えることができる。
【００６０】
また、本実施形態のように、底板２０に形成される排出口２８を１個のみにすることにより、排出口から流れ込む外気の量を低減させることができる。そのため、室外側熱交換器１３における熱交換効率の低下を抑えることができる。
【００６１】
なお、上述の第１の実施形態では、第１傾斜部２２は、送風機１２の設置領域Ｒのみに設けられている。しかし、他の実施態様では、送風機１２の設置領域Ｒだけではなく、機械室３２の前方側の底板２０にも、第１傾斜部２２を設けることができる。
【００６２】
〔第２の実施形態〕
続いて、本発明の第２の実施形態について説明する。上述した第１の実施形態では、底板２０に一つの排出口２８を設ける構成について説明した。しかし、本発明では、排出口（開口部）の個数は１つに限定されない。そこで、第２の実施形態では、底板が複数の排出口を有する構成について説明する。以下では、第１の実施形態とは異なる部分を中心に説明する。
【００６３】
図９には、第２の実施形態にかかる室外機１の底板１２０の構成を示す。第２の実施形態にかかる室外機１において、底板１２０以外の構成については、第１の実施形態と同様の構成を適用することができる。
【００６４】
底板１２０は、概略的にトレイ型の形状を有しており、外縁部に側壁が設けられている。送風機１２の設置領域において底板１２０は、前方側から、前方底面部２１、第１傾斜部２２、第２傾斜部２３、後方底面部（底面部）２４、および後方傾斜部２５を有している（図９参照）。また、第１傾斜部２２の後方側には、第２傾斜部２３との接続部２２ａが設けられている。第２傾斜部２３との接続部２２ａは、第１傾斜部２２の前方側よりも横幅が狭くなっており、第１傾斜部２２に溜まった雨水などの液体を排出口２８へと誘導する流路となっている。これらの底板１２０の形状は、第１の実施形態の底板２０と概ね同じである。
【００６５】
また、底板１２０には、排出口１２８ａおよび排出口１２８ｂが形成されている。排出口１２８ａは、第１の実施形態の底板２０に形成された排出口２８と同じ位置に形成されている。排出口１２８ａは、室外側熱交換器１３よりも前方側に位置する。
【００６６】
一方、排出口１２８ｂは、ヒートパイプ１８の配置位置に沿って、複数個形成されている（図１０参照）。複数の排出口１２８ｂのうちの一部は、後方底面部２４と、右側傾斜部２６ａまたは左側傾斜部２６ｂとにまたがる位置に形成されている。また、複数の排出口１２８ｂのうちの一部は、右側傾斜部２６ａまたは左側傾斜部２６ｂに形成されている。これらの排出口１２８ｂの上方には、室外側熱交換器１３が存在する。また、底板２０の後方側に形成されている排出口１２８ｂのうちの一部は、後方傾斜部２５にもまたがるように形成されていてもよい。
【００６７】
また、複数の排出口１２８ｂのうちの一部は、第２傾斜部２３と、右側傾斜部２６ａまたは左側傾斜部２６ｂとにまたがる位置に形成されている。これらの排出口１２８ｂは、室外側熱交換器１３よりも前方側に位置する。
【００６８】
なお、本実施形態では、送風機１２の左側へ張り出している室外側熱交換器１３の下方にも、複数個の排出口１２８ｂが形成されている。
【００６９】
上記の構成によれば、複数個の排出口１２８ａおよび１２８ｂから効率よく雨水やドレン水などの液体を排出することができる。
【００７０】
〔第３の実施形態〕
続いて、本発明の第３の実施形態について説明する。上述した第１および第２の実施形態では、底板２０にドレン水などの凍結を抑制するための加熱部としてヒートパイプ１８が設けられている構成について説明した。しかし、本発明の一態様にかかる室外機には、ヒートパイプ１８などの加熱部は設けられていなくてもよい。第３の実施形態にかかる室外機１は、例えば、寒冷地よりも温暖で、冬季の外気温が氷点下となることが少ない地域（寒冷地以外の地域）で使用することを前提とした室外機に適用できる。
【００７１】
すなわち、第３の実施形態にかかる室外機１には、ヒートパイプ１８は設けられていない。それ以外の構成については、第１の実施形態の室外機１と同様の構成が適用できる。
【００７２】
本実施形態にかかる室外機１によれば、底板２０に溜まった雨水やドレン水などを、各傾斜部２２および２３などから円滑に排出口２８へ導き、効率よく排出することができる。
【００７３】
〔まとめ〕
本発明の一局面にかかる室外機は、空気調和機の室外機１であって、筐体１０と、前記筐体１０内に配置された送風機１２と、前記筐体１０の底部に配置された底板２０とを備えている。前記底板２０は、前記室外機１の前方から後方に向けて、下方に傾斜する第１傾斜部２２と、前記第１傾斜部２２から後方へ向けて、前記第１傾斜部２２よりも大きな角度で下方に傾斜する第２傾斜部２３と、前記第２傾斜部２３の後方に位置し、後方傾斜部２５と接続する後方底面部２４とを有している。そして、前記送風機１２は、前記第２傾斜部２３よりも前方側に位置している。
【００７４】
上述の本発明の一局面にかかる室外機１において、前記底板２０には、少なくとも一つの開口部（排出口２８）が設けられており、前記開口部は、前記第２傾斜部２３と前記後方底面部２４とにまたがって形成されていることが好ましい。
【００７５】
ここで、前記開口部の個数は、１個でもよいし、複数個でもよい。複数個の開口部が設けられている場合には、少なくとも一つの開口部が、第２傾斜部と底面部とにまたがって形成されていればよい。少なくとも一つの開口部を、第２傾斜部と底面部とにまたがって形成することで、より効率的にドレン水を排出することができる。複数の開口部を、第２傾斜部と底面部とにまたがって形成することで、さらに効率的にドレン水を排出することができる。
【００７６】
上述の本発明の一局面にかかる室外機１において、前記送風機１２の後方側には、室外側熱交換器１３が配置されていてもよい。そして、前記底板２０上において前記送風機１２が配置されている領域を、前記底板２０の前方領域ＦＲとし、前記底板２０上において前記室外側熱交換器１３が配置されている領域を、前記底板２０の後方領域ＢＲとすると、前記開口部（排出口２８）の少なくとも一つは、前記前方領域ＦＲから前記後方領域ＢＲへと至る領域内に存在することが好ましい。
【００７７】
上記の構成によれば、送風機１２の下方に溜まったドレン水を、より効率よく開口部へ導くことができる。
【００７８】
上述の本発明の一局面にかかる室外機１は、前記開口部（排出口２８）上に、ドレン水などの凍結防止のために、前記筐体１０内を加熱する加熱部が配置されていてもよい。
【００７９】
前記加熱部は、例えば、冷凍サイクルを構成する冷媒配管の一部で、室内側熱交換機と膨張弁との間に接続される冷媒配管からなるヒートパイプ１８、あるいは、冷媒配管から分岐したヒートパイプ１８で構成することができる。またあるいは、加熱部は、電熱線などで構成することができる。開口部上に加熱部が配置されていることで、開口部周囲を暖めることができる。そのため、ドレン水などが凍結して開口部が塞がれることを抑えることができる。
【００８０】
上述の本発明の一局面にかかる室外機１において、前記加熱部は、前記第１傾斜部よりも下方に位置していてもよい。
【００８１】
上述の本発明の一局面にかかる室外機１において、前記送風機１２の後方側には、室外側熱交換器１３が配置されており、前記加熱部の少なくとも一部は、前記室外側熱交換器１３よりも前方側に位置してもよい。なお、前記室外側熱交換器１３よりも前方側に位置する加熱部は、開口部上に配置されていることがより好ましい。これにより、凍結物によって開口部が塞がれることを抑えることができる。
【００８２】
本発明の一局面にかかる室外機１では、ヒートパイプ１８などの加熱部は、第１傾斜部と第２傾斜部との境界よりも後方側に位置するように配置してもよい。これにより、送風機の下方に加熱部が存在しない構成とすることができる。したがって、除霜運転中などに、万一加熱部が凍結した場合であっても、暖房運転中に、ドレン水が第１傾斜部２２に流れ込むことがない。そのため、送風機１２の下方において凍結物が成長して送風機の運転を妨害することを抑えることができる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【００８４】
本実施形態では、本発明の一態様として、セパレート型空気調和機の室外機を例に挙げて説明したが、本発明の別の態様では、ヒートポンプ式給湯機の室外機にも適用可能である。
【符号の説明】
【００８５】
１        ：室外機
１０      ：筐体
１２      ：送風機
１３      ：室外側熱交換器（熱交換器）
１８      ：ヒートパイプ
２０      ：底板
２２      ：第１傾斜部
２３      ：第２傾斜部
２４      ：後方底面部（底面部）
２８      ：排出口（開口部）
１２０    ：底板
１２８ａ  ：排出口（開口部）
１２８ｂ  ：排出口（開口部）
Ｒ        ：送風機の設置領域
ＦＲ      ：前方領域
ＢＲ      ：後方領域
【図１】
2019086186.tif 000003
【図２】
2019086186.tif 000004
【図３】
2019086186.tif 000005
【図４】
2019086186.tif 000006
【図５】
2019086186.tif 000007
【図６】
2019086186.tif 000008
【図７】
2019086186.tif 000009
【図８】
2019086186.tif 000010
【図９】
2019086186.tif 000011
【図１０】
2019086186.tif 000012